(57)【要約】【課題】良好な防水性を長期にわたって維持することが可能な栓及び防水コネクタを提供すること。【解決手段】栓３０の外周面における、電線６０の他端部６０ｂ側の端部には、ハウジング側リップ部３２よりも突出高さが大きな環状のハウジング側フランジ部３４が突出して設けられており、栓３０を栓収容室２４に収容した際に、ハウジング側フランジ部３４が、栓収容室２４の周壁２４ａに接触して撓み変形する。【選択図】図１
2015002071.tif 000002
【特許請求の範囲】
【請求項１】
コネクタハウジングと、該コネクタハウジング内に形成された端子収容室と、該端子収容室に収容された端子と、該端子に電気的に接続された一端部及び前記コネクタハウジングの外部に引き出された他端部を有する電線と、前記電線の長さ方向に沿って前記端子収容室に並設され且つ前記電線の一部の外周面を囲むように前記コネクタハウジング内に形成された円環形の栓収容室と、を備えた防水コネクタの前記栓収容室に収容可能な栓であって、
前記栓は、弾性を有し、且つ円環状に形成され、
前記栓の内周面には、前記電線の一部の外周面と密着する環状の電線側リップ部が突出して設けられ、
前記栓の外周面には、前記栓収容室の輪郭を画成する前記栓収容室の周壁の内周面と密着する環状のハウジング側リップ部が突出して設けられ、
前記栓の外周面における、前記電線の他端部側の端部には、前記ハウジング側リップ部よりも突出高さが大きな環状のハウジング側フランジ部が突出して設けられており、
前記栓を前記栓収容室に収容した際に、前記ハウジング側フランジ部が、前記栓収容室の周壁に接触して撓み変形する、
ことを特徴とする栓。
【請求項２】
前記ハウジング側フランジ部は、前記ハウジング側リップ部よりも厚みが小さく形成されている、
ことを特徴とする請求項１に記載の栓。
【請求項３】
コネクタハウジングと、該コネクタハウジング内に形成された端子収容室と、該端子収容室に収容された端子と、該端子に電気的に接続された一端部及び前記コネクタハウジングの外部に引き出された他端部を有する電線と、前記電線の長さ方向に沿って前記端子収容室に並設され且つ前記電線の一部の外周面を囲むように前記コネクタハウジング内に形成された円環形の栓収容室と、を備えた防水コネクタの前記栓収容室に収容可能な栓であって、
前記栓は、弾性を有し、且つ円環状に形成され、
前記栓の内周面には、前記電線の一部の外周面と密着する環状の電線側リップ部が突出して設けられ、
前記栓の外周面には、前記栓収容室の輪郭を画成する前記栓収容室の周壁の内周面と密着する環状のハウジング側リップ部が突出して設けられ、
前記栓の内周面における、前記電線の他端部側の端部には、前記電線側リップ部よりも突出高さが大きな環状の電線側フランジ部が突出して設けられており、
前記栓を前記電線の一部に挿着した際に、前記電線側フランジ部が、前記電線の一部の外周面に接触して撓み変形する、
ことを特徴とする栓。
【請求項４】
前記電線側フランジ部は、前記電線側リップ部よりも厚みが小さく形成されている、
ことを特徴とする請求項３に記載の栓。
【請求項５】
コネクタハウジングと、
該コネクタハウジング内に形成された端子収容室と、
該端子収容室に収容された端子と、
該端子に電気的に接続された一端部及び前記コネクタハウジングの外部に引き出された他端部を有する電線と、
前記電線の長さ方向に沿って前記端子収容室に並設され且つ前記電線の一部の外周面を囲むように前記コネクタハウジング内に形成された円環形の栓収容室と、
前記栓収容室に収容された栓と、
を備えた防水コネクタであって、
前記栓は、弾性を有し、且つ円環状に形成され、
前記栓の内周面には、前記電線の一部の外周面と密着する環状の電線側リップ部が突出して設けられ、
前記栓の外周面には、前記栓収容室の輪郭を画成する前記栓収容室の周壁の内周面と密着する環状のハウジング側リップ部が突出して設けられ、
前記栓の外周面における、前記電線の他端部側の端部には、前記ハウジング側リップ部よりも突出高さが大きな環状のハウジング側フランジ部が突出して設けられており、
前記栓を前記栓収容室に収容した際に、前記ハウジング側フランジ部が、前記栓収容室の周壁に接触して撓み変形する、
ことを特徴とする防水コネクタ。
【請求項６】
コネクタハウジングと、
該コネクタハウジング内に形成された端子収容室と、
該端子収容室に収容された端子と、
該端子に電気的に接続された一端部及び前記コネクタハウジングの外部に引き出された他端部を有する電線と、
前記電線の長さ方向に沿って前記端子収容室に並設され且つ前記電線の一部の外周面を囲むように前記コネクタハウジング内に形成された円環形の栓収容室と、
前記栓収容室に収容された栓と、
を備えた防水コネクタであって、
前記栓は、弾性を有し、且つ円環状に形成され、
前記栓の内周面には、前記電線の一部の外周面と密着する環状の電線側リップ部が突出して設けられ、
前記栓の外周面には、前記栓収容室の輪郭を画成する前記栓収容室の周壁の内周面と密着する環状のハウジング側リップ部が突出して設けられ、
前記栓の内周面における、前記電線の他端部側の端部には、前記電線側リップ部よりも突出高さが大きな環状の電線側フランジ部が突出して設けられており、
前記栓を前記電線の一部に挿着した際に、前記電線側フランジ部が、前記電線の一部の外周面に接触して撓み変形する、
ことを特徴とする防水コネクタ。
【発明の詳細な説明】
【技術分野】
【０００１】
本発明は、コネクタハウジング内の端子収容室に収容された端子に接続された電線が引き出されるコネクタハウジングの後部から、端子収容室内への、水、油、等といった液体の浸入を防止するための液体浸入防止部材として栓を備えた防水コネクタ、及びその栓に関する。
【背景技術】
【０００２】
水、油、等といった液体の浸入を防止する防水コネクタとして、コネクタハウジングと、コネクタハウジング内に形成された端子収容室と、端子収容室に収容された端子と、端子に電気的に接続された一端部及びコネクタハウジングの外部に引き出された他端部を有する電線と、電線の長さ方向に沿って端子収容室に並設され且つ電線の一部の外周面を囲むようにコネクタハウジング内に形成された円環形の栓収容室と、栓収容室に収容された栓と、を備えたものが知られている（例えば、特許文献１参照）。
【０００３】
この防水コネクタに設けられた栓は、その内周部に２つの環状リップを有して電線に外嵌すると共に、その外周部にも２つの環状リップを有して栓収容室の周壁の内周面に内嵌する。これにより、防水コネクタにおける防水性が保たれる。
【先行技術文献】
【特許文献】
【０００４】
【特許文献１】特開２００６−３２１９９号公報
【発明の概要】
【発明が解決しようとする課題】
【０００５】
ところで、上記のような防水コネクタでは、環状リップと、この環状リップからの弾性力を常に受ける電線の外周面と、の密着箇所において、電線の被覆が経年変化によって縮径し、密着力が低下するおそれがある。また、周辺温度が急激に変化した場合に、ハウジング、栓、及び電線の熱収縮率の差によって環状リップと電線との密着力が低下するおそれがある。また、防水コネクタの内部には、気体密度の変化により負圧が発生することがある。
【０００６】
このような密着力の低下や負圧の発生が生じると、環状リップと、電線の外周面及び栓収容室の周壁の内周面との間の防水性が保てなくなるおそれがある。また、これらが複合的に発生した場合には、その蓋然性が更に高くなる。
【０００７】
本発明は、上述した事情に鑑みてなされたものであり、その目的は、良好な防水性を長期にわたって維持することが可能な栓及び防水コネクタを提供することにある。
【課題を解決するための手段】
【０００８】
前述した目的を達成するために、本発明に係る栓は、下記の点を特徴としている。
（１）  コネクタハウジングと、該コネクタハウジング内に形成された端子収容室と、該端子収容室に収容された端子と、該端子に電気的に接続された一端部及び前記コネクタハウジングの外部に引き出された他端部を有する電線と、前記電線の長さ方向に沿って前記端子収容室に並設され且つ前記電線の一部の外周面を囲むように前記コネクタハウジング内に形成された円環形の栓収容室と、を備えた防水コネクタの前記栓収容室に収容可能な栓であって、
前記栓は、弾性を有し、且つ円環状に形成され、
前記栓の内周面には、前記電線の一部の外周面と密着する環状の電線側リップ部が突出して設けられ、
前記栓の外周面には、前記栓収容室の輪郭を画成する前記栓収容室の周壁の内周面と密着する環状のハウジング側リップ部が突出して設けられ、
前記栓の外周面における、前記電線の他端部側の端部には、前記ハウジング側リップ部よりも突出高さが大きな環状のハウジング側フランジ部が突出して設けられており、
前記栓を前記栓収容室に収容した際に、前記ハウジング側フランジ部が、前記栓収容室の周壁に接触して撓み変形する、
こと。
（２）  上記（１）の構成の栓であって、
前記ハウジング側フランジ部は、前記ハウジング側リップ部よりも厚みが小さく形成されている、
こと。
（３）  コネクタハウジングと、該コネクタハウジング内に形成された端子収容室と、該端子収容室に収容された端子と、該端子に電気的に接続された一端部及び前記コネクタハウジングの外部に引き出された他端部を有する電線と、前記電線の長さ方向に沿って前記端子収容室に並設され且つ前記電線の一部の外周面を囲むように前記コネクタハウジング内に形成された円環形の栓収容室と、を備えた防水コネクタの前記栓収容室に収容可能な栓であって、
前記栓は、弾性を有し、且つ円環状に形成され、
前記栓の内周面には、前記電線の一部の外周面と密着する環状の電線側リップ部が突出して設けられ、
前記栓の外周面には、前記栓収容室の輪郭を画成する前記栓収容室の周壁の内周面と密着する環状のハウジング側リップ部が突出して設けられ、
前記栓の内周面における、前記電線の他端部側の端部には、前記電線側リップ部よりも突出高さが大きな環状の電線側フランジ部が突出して設けられており、
前記栓を前記電線の一部に挿着した際に、前記電線側フランジ部が、前記電線の一部の外周面に接触して撓み変形する、
こと。
（４）  上記（３）の構成の栓であって、
前記電線側フランジ部は、前記電線側リップ部よりも厚みが小さく形成されている、
こと。
【０００９】
上記（１）の構成の栓では、栓の外周面における、電線の他端部側の端部に、ハウジング側リップ部よりも突出高さが大きな環状のハウジング側フランジ部が突出して設けられ、このハウジング側フランジ部が、栓を栓収容室に収容した際に、栓収容室の周壁に接触して撓み変形する。
このため、ハウジング側フランジ部が栓収容室の周壁に密着した状態に維持され易く、経年変化や急激な温度変化によってハウジング側リップ部の栓収容室の周壁への密着力が低下した場合であっても、防水コネクタの防水性を維持することができる。
また、ハウジング側フランジ部は、栓を栓収容室に収容した際に、その先端が上記電線の他端部側に延びるように（つまり、電線の挿入方向と反対側に向けて）撓み変形して栓収容室の周壁に密着するので、端子が配置される防水コネクタの内部が負圧となった場合であっても、ハウジング側フランジ部が栓収容室の周壁に密着した状態に維持され易い。即ち、防水コネクタの内部が負圧となり、防水コネクタの内部側（電線の一端部側）向きの力が栓に作用した場合であっても、ハウジング側フランジ部は、その先端が上記電線の他端部側に延びるように撓み変形して栓収容室の周壁に密着しているので、当該電線の一端部側向きの力に対抗し易い。このようにハウジング側フランジ部が防水コネクタ内部の負圧に対して弁の役割を果たすので、防水コネクタの防水性を維持することができる。
特に、ハウジング側フランジ部は、ハウジング側リップ部よりも、突出高さが大きく且つ栓の端部に形成されている。したがって、ハウジング側フランジ部は、撓み変形し易く（座屈し難く）、倒れ易い。よって、ハウジング側フランジ部は、栓収容室の周壁へ確実に密着する。
これにより、栓による良好な防水状態を長期にわたって維持することができる。
上記（２）の構成の栓では、ハウジング側フランジ部は、ハウジング側リップ部よりも厚みが小さく形成されているので、容易に撓み変形して栓収容室の周壁へ確実に密着する。
上記（３）の構成の栓では、栓の内周面における、電線の他端部側の端部に、電線側リップ部よりも突出高さが大きな環状の電線側フランジ部が突出して設けられ、この電線側フランジ部が、栓を電線に挿着した際に、電線の外周面に接触して撓み変形する。
このため、電線側フランジ部が電線の外周面に密着した状態に維持され易く、経年変化や急激な温度変化によって電線側リップ部の電線の外周面への密着力が低下した場合であっても、防水コネクタの防水性を維持することができる。
また、電線側フランジ部は、栓を電線に挿着した際に、その先端が上記電線の他端部側に延びるように（つまり、電線の挿入方向と反対側に向けて）撓み変形して栓収容室の周壁に密着するので、端子が配置される防水コネクタの内部が負圧となった場合であっても、電線側フランジ部が電線の外周面に密着した状態に維持され易い。即ち、防水コネクタの内部が負圧となり、防水コネクタの内部側（電線の一端部側）向きの力が栓に作用した場合であっても、電線側フランジ部は、その先端が上記電線の他端部側に延びるように撓み変形して電線の外周面に密着しているので、当該電線の一端部側向きの力に対抗し易い。このように電線側フランジ部が防水コネクタ内部の負圧に対して弁の役割を果たすので、防水コネクタの防水性を維持することができる。
特に、電線側フランジ部は、電線側リップ部よりも、突出高さが大きく且つ栓の端部に形成されている。したがって、電線側フランジ部は、撓み変形し易く（座屈し難く）、倒れ易い。よって、電線側フランジ部は、栓収容室の周壁へ確実に密着する。
これにより、栓による良好な防水状態を長期にわたって維持することができる。
上記（４）の構成の栓では、電線側フランジ部は、電線側リップ部よりも厚みが小さく形成されているので、容易に撓み変形して電線の外周面へ確実に密着する。
【００１０】
また、上述した目的を達成するために、本発明に係る防水コネクタは、下記の点を特徴としている。
（５）  コネクタハウジングと、
該コネクタハウジング内に形成された端子収容室と、
該端子収容室に収容された端子と、
該端子に電気的に接続された一端部及び前記コネクタハウジングの外部に引き出された他端部を有する電線と、
前記電線の長さ方向に沿って前記端子収容室に並設され且つ前記電線の一部の外周面を囲むように前記コネクタハウジング内に形成された円環形の栓収容室と、
前記栓収容室に収容された栓と、
を備えた防水コネクタであって、
前記栓は、弾性を有し、且つ円環状に形成され、
前記栓の内周面には、前記電線の一部の外周面と密着する環状の電線側リップ部が突出して設けられ、
前記栓の外周面には、前記栓収容室の輪郭を画成する前記栓収容室の周壁の内周面と密着する環状のハウジング側リップ部が突出して設けられ、
前記栓の外周面における、前記電線の他端部側の端部には、前記ハウジング側リップ部よりも突出高さが大きな環状のハウジング側フランジ部が突出して設けられており、
前記栓を前記栓収容室に収容した際に、前記ハウジング側フランジ部が、前記栓収容室の周壁に接触して撓み変形する、
こと。
（６）  コネクタハウジングと、
該コネクタハウジング内に形成された端子収容室と、
該端子収容室に収容された端子と、
該端子に電気的に接続された一端部及び前記コネクタハウジングの外部に引き出された他端部を有する電線と、
前記電線の長さ方向に沿って前記端子収容室に並設され且つ前記電線の一部の外周面を囲むように前記コネクタハウジング内に形成された円環形の栓収容室と、
前記栓収容室に収容された栓と、
を備えた防水コネクタであって、
前記栓は、弾性を有し、且つ円環状に形成され、
前記栓の内周面には、前記電線の一部の外周面と密着する環状の電線側リップ部が突出して設けられ、
前記栓の外周面には、前記栓収容室の輪郭を画成する前記栓収容室の周壁の内周面と密着する環状のハウジング側リップ部が突出して設けられ、
前記栓の内周面における、前記電線の他端部側の端部には、前記電線側リップ部よりも突出高さが大きな環状の電線側フランジ部が突出して設けられており、
前記栓を前記電線の一部に挿着した際に、前記電線側フランジ部が、前記電線の一部の外周面に接触して撓み変形する、
こと。
【００１１】
上記（５）の構成の防水コネクタでは、栓の外周面における、電線の他端部側の端部に、ハウジング側リップ部よりも突出高さが大きな環状のハウジング側フランジ部が突出して設けられ、このハウジング側フランジ部が、栓を栓収容室に収容した際に、栓収容室の周壁に接触して撓み変形する。
このため、ハウジング側フランジ部が栓収容室の周壁に密着した状態に維持され易く、経年変化や急激な温度変化によってハウジング側リップ部の栓収容室の周壁への密着力が低下した場合であっても、防水コネクタの防水性を維持することができる。
また、ハウジング側フランジ部は、栓を栓収容室に収容した際に、その先端が上記電線の他端部側に延びるように（つまり、電線の挿入方向と反対側に向けて）撓み変形して栓収容室の周壁に密着するので、端子が配置される防水コネクタの内部が負圧となった場合であっても、ハウジング側フランジ部が栓収容室の周壁に密着した状態に維持され易い。即ち、防水コネクタの内部が負圧となり、防水コネクタの内部側（電線の一端部側）向きの力が栓に作用した場合であっても、ハウジング側フランジ部は、その先端が上記電線の他端部側に延びるように撓み変形して栓収容室の周壁に密着しているので、当該電線の一端部側向きの力に対抗し易い。このようにハウジング側フランジ部が防水コネクタ内部の負圧に対して弁の役割を果たすので、防水コネクタの防水性を維持することができる。
特に、ハウジング側フランジ部は、ハウジング側リップ部よりも、突出高さが大きく且つ栓の端部に形成されている。したがって、ハウジング側フランジ部は、撓み変形し易く（座屈し難く）倒れ易い。よって、ハウジング側フランジ部は、栓収容室の周壁へ確実に密着する。
これにより、栓による良好な防水状態を長期にわたって維持することができる。
上記（６）の構成の防水コネクタでは、栓の内周面における、電線の他端部側の端部に、電線側リップ部よりも突出高さが大きな環状の電線側フランジ部が突出して設けられ、この電線側フランジ部が、栓を電線に挿着した際に、電線の外周面に接触して撓み変形する。
このため、電線側フランジ部が電線の外周面に密着した状態に維持され易く、経年変化や急激な温度変化によって電線側リップ部の電線の外周面への密着力が低下した場合であっても、防水コネクタの防水性を維持することができる。
また、電線側フランジ部は、栓を電線に挿着した際に、その先端が上記電線の他端部側に延びるように（つまり、電線の挿入方向と反対側に向けて）撓み変形して電線の外周面に密着するので、端子が配置される防水コネクタの内部が負圧となった場合であっても、電線側フランジ部が電線の外周面に密着した状態に維持され易い。即ち、防水コネクタの内部が負圧となり、防水コネクタの内部側（電線の一端部側）向きの力が栓に作用した場合であっても、電線側フランジ部は、その先端が上記電線の他端部側に延びるように撓み変形して電線の外周面に密着しているので、当該電線の一端部側向きの力に対抗し易い。このように電線側フランジ部が防水コネクタ内部の負圧に対して弁の役割を果たすので、防水コネクタの防水性を維持することができる。
特に、電線側フランジ部は、電線側リップ部よりも、突出高さが大きく且つ栓の端部に形成されている。したがって、電線側フランジ部は、撓み変形し易く（座屈し難く）、倒れ易い。よって、電線側フランジ部は、栓収容室の周壁へ確実に密着する。
これにより、栓による良好な防水状態を長期にわたって維持することができる。
【発明の効果】
【００１２】
本発明によれば、良好な防水性を長期にわたって維持することが可能な栓及び防水コネクタを提供できる。
【００１３】
以上、本発明について簡潔に説明した。更に、以下に説明される発明を実施するための形態を添付の図面を参照して通読することにより、本発明の詳細は更に明確化されるであろう。
【図面の簡単な説明】
【００１４】
【図１】図１は、本発明の一実施形態に係る防水コネクタの断面図である。
【図２】図２は、防水コネクタの一部の断面斜視図である。
【図３】図３は、防水コネクタに設けられる栓を示す図であって、図３（ａ）は側面図、図３（ｂ）は断面図である。
【図４】図４は、防水コネクタの電線に対する挿着の手順を示す図であって、図４（ａ）から図４（ｃ）は、それぞれ防水コネクタの断面図である。
【発明を実施するための形態】
【００１５】
以下、本発明に係る実施の形態の例を、図面を参照して説明する。
【００１６】
図１は、本発明の一実施形態に係る防水コネクタの断面図である。図２は、防水コネクタの一部の断面斜視図である。図３は、防水コネクタに設けられる栓を示す図であって、図３（ａ）は側面図、図３（ｂ）は断面図である。
【００１７】
図１に示すように、本発明の一実施形態である栓付き防水コネクタ１０は、コネクタハウジング１１と、栓３０と、を備えている。防水コネクタ１０には、被覆電線である電線６０の一端部６０ａが引き込まれており、電線６０の他端部６０ｂが防水コネクタ１０から引き出されている。コネクタハウジング１１における電線６０の引き出し側の端部には、ホルダ１２が装着されている。
【００１８】
コネクタハウジング１１は、合成樹脂から形成されたもので、中空筒形状の収容部１５と、中空筒形状の相手方コネクタ嵌合部１６と、を有している。収容部１５には、その外周側に、複数のネジ挿入孔１３を有する平板形状のベース１４が形成されている。
【００１９】
コネクタハウジング１１は、装置等の取付板１の取付孔２に、相手方コネクタ嵌合部１６をベース１４が取付板１に当接するまで挿し込み、ネジ挿入孔１３から挿し込んだネジ（図示略）を取付板１のネジ孔（図示略）へねじ込むことで取付板１に固定される。
【００２０】
コネクタハウジング１１の収容部１５の内部には、端子収容室１７と、電線６０の長さ方向に沿って端子収容室１７に並設されて当該栓収容室２４に連通する端子収容室１７と、が形成されている。端子収容室１７内には、ランス１８が突出形成されている。また、この栓収容室２４は、電線６０の長手方向における一部の外周面を囲むように円環形に形成されている。
【００２１】
端子収容室１７には端子１９が収容されている。端子１９は、その先端部に、相手方コネクタ嵌合部１６に嵌合された相手方コネクタ（不図示）に収容された端子（不図示）に電気的に接続される電気接触部２０を有している。また、端子１９は、その基端部に、電線６０の外被６２から露出された導体６１に電気的に接続する電線接続部２１を有する。電線接続部２１は、電線６０の導体６１に加締められて圧着接続されている。
【００２２】
端子１９の長手方向における電気接触部２０と電線接続部２１との間には係合孔２２が形成されており、この係合孔２２にランス１８の突起１８ａが挿入されることによって、端子１９が端子収容室１７内で抜け止めされる。端子収容室１７の上方に位置する栓収容室２４には栓３０が組み付けられている。
【００２３】
ホルダ１２は、円板状に形成されており、その中心部分には、電線６０が挿通される挿通孔１２ａが形成されている。ホルダ１２には、コネクタハウジング１１側に、円環状の嵌合溝１２ｂが形成されている。この嵌合溝１２ｂには、コネクタハウジング１１の端部が嵌合されている。ホルダ１２は、コネクタハウジング１１における電線６０の引き出し側に装着され、これにより、コネクタハウジング１１の栓収容室２４が塞がれている。
【００２４】
図２に示すように、栓３０は、ゴム等の弾性材料から形成されたもので、円環状に形成されている。栓３０は、電線６０に外嵌すると共に栓収容室２４の輪郭を画成する周壁２４ａの内周面に内嵌される。
【００２５】
図３に示すように、栓３０の内周面には、電線６０の一部の外周面と密着する環状の複数の電線側リップ部３１が突出して設けられている。これらの電線側リップ部３１は、軸方向に間隔をあけて配置されている。
【００２６】
また、栓３０の外周面には、栓収容室２４の周壁２４ａの内周面と密着する環状の複数のハウジング側リップ部３２が突出して設けられている。これらのハウジング側リップ部３２は、軸方向に間隔をあけて配置されている。
【００２７】
栓３０には、その内周面における、電線６０の他端部６０ｂ側の端部に、環状の電線側フランジ部３３が形成されている。この電線側フランジ部３３は、電線側リップ部３１よりも突出高さが大きな環状に形成されている。この電線側フランジ部３３は、電線側リップ部３１よりも厚みが小さく形成されている。本明細書中で言及する電線側フランジ部３３の厚み及び電線側リップ部３１の厚みとは、それぞれ栓３０の軸方向に沿う方向における厚みである。また、厚みとは、突出部分における、最も突出している箇所である先端部を挟む２つの立ち上がり部分間の距離のことを指す。この電線側フランジ部３３は、栓３０を電線６０に挿着した状態では、電線６０の一部の外周面に接触して、電線６０への挿入方向（図２中における下方向）と反対側へ撓み変形し、倒れた状態となる。
【００２８】
また、栓３０には、その外周面における、電線６０の他端部６０ｂ側の端部に、環状のハウジング側フランジ部３４が形成されている。このハウジング側フランジ部３４は、ハウジング側リップ部３２よりも突出高さが大きな環状に形成されている。このハウジング側フランジ部３４は、ハウジング側リップ部３２よりも厚みが小さく形成されている。上述した電線側フランジ部３３の厚み及び電線側リップ部３１の場合と同様に、本明細書中で言及するハウジング側フランジ部３４の厚み及びハウジング側リップ部３２の厚みとは、それぞれ栓３０の軸方向に沿う厚みである。このハウジング側フランジ部３４は、栓３０を栓収容室２４に収容した状態では、栓収容室２４の周壁２４ａに接触して、栓収容室２４への挿入方向（図２中における下方向）と反対側へ撓み変形し、倒れた状態となる。
【００２９】
つまり、栓収容室２４は、周壁２４ａの内径が、ハウジング側リップ部３２及びハウジング側フランジ部３４を除いた栓３０の外径と略等しく、且つハウジング側リップ部３２を含む栓３０の外径よりも小さくなるように、設けられている。また、円環状に形成された栓３０は、その内径が電線側リップ部３１及び電線側フランジ部３３を除いた電線６０の外径と略等しく、且つ電線側リップ部３１を含む電線６０の外径よりも小さくなるように、形成されている。
【００３０】
次に、上記の防水コネクタ１０を電線６０の端部に挿着する場合について説明する。
図４は、電線への防水コネクタの挿着の手順を示す図であって、図４（ａ）から図４（ｃ）は、それぞれ防水コネクタの断面図である。
【００３１】
図４（ａ）に示すように、栓３０に対して、電線側フランジ部３３及びハウジング側フランジ部３４が形成された側から電線６０を挿し込む。すなわち、図４（ａ）中矢印Ａ方向に挿し込む。なお、電線６０には、予めホルダ１２の挿通孔１２ａに電線６０を通すことで、ホルダ１２を装着しておく。
【００３２】
栓３０に電線６０を挿し込むと、電線側フランジ部３３は、電線６０の外周面によって引きずられて電線６０の挿入方向（図４（ａ）中矢印Ａ方向）側へ撓んだ状態となる。この状態から、栓３０に対して、電線６０を引き抜く方向（図４（ａ）中矢印Ａと反対方向）へ僅かに引っ張る。このようにすると、電線６０の挿入方向（図４（ａ）中矢印Ａ方向）側へ撓んでいた電線側フランジ部３３が電線６０の外周面によって引きずられて挿入方向と反対側へ戻される。
【００３３】
これにより、図４（ｂ）に示すように、電線側フランジ部３３は、電線６０の一部の外周面に接触して撓み変形し、倒れた状態となる。また、２つの電線側リップ部３１が電線６０の外周面にそれぞれ密着した状態となる。
【００３４】
栓３０に電線６０を挿し込んだ後、電線６０の一端部６０ａに端末処理を施して導体６１を露出させる。そして、この導体６１を露出させた電線６０の一端部６０ａに、端子１９の電線接続部２１を加締めて圧着接続する。
【００３５】
次に、栓３０が挿着された電線６０及び栓３０を、端子１９が接続された電線６０の一端部６０ａ側からコネクタハウジング１１の収容部１５に挿し込む。すなわち、図４（ｃ）中矢印Ｂ方向に挿し込む。
【００３６】
このようにすると、図４（ｃ）に示すように、電線６０に接続された端子１９の電気接触部２０がコネクタハウジング１１の端子収容室１７に挿し込まれ、端子１９の係合孔２２にランス１８の突起１８ａが挿入される。これにより、端子１９が端子収容室１７内に係止される。
【００３７】
また、電線６０に挿着された栓３０がコネクタハウジング１１の栓収容室２４内に挿入されて嵌め込まれる。すると、栓３０は、２つのハウジング側リップ部３２が栓収容室２４の周壁２４ａの内周面にそれぞれ密着した状態で栓収容室２４に収容される。
【００３８】
そして、栓３０を電線６０の一端部６０ａ側から栓収容室２４に挿入して収容した際に、栓３０のハウジング側フランジ部３４が、栓収容室２４の周壁２４ａの内周面に接触し、栓収容室２４への挿入方向（図４（ｃ）中矢印Ｂ方向）と反対側へ撓み変形して倒れた状態とされる。
【００３９】
このように、電線６０に挿着した栓３０をハウジング１１の栓収容室２４へ嵌め込むと、電線６０の外周面に電線側リップ部３１が密着し、栓収容室２４の周壁２４ａの内周面にハウジング側リップ部３２が密着する。さらに、電線６０の他端部６０ｂ側の外周面に電線側フランジ部３３が撓み変形して密着し、栓収容室２４の周壁２４ａの内周面にハウジング側フランジ部３４が撓み変形して密着する。
【００４０】
これにより、電線６０とハウジング１１の栓収容室２４との間が栓３０によって封鎖され、確実に防水された状態となる。
【００４１】
その後、ホルダ１２をコネクタハウジング１１の栓収容室２４側の端部に被せ、ホルダ１２の嵌合溝１２ｂにコネクタハウジング１１の端部を嵌合させる。このようにすると、ホルダ１２がコネクタハウジング１１に装着され、栓３０が収容されたコネクタハウジング１１の栓収容室２４が塞がれる。
【００４２】
このように、上記実施形態に係る栓３０及び防水コネクタ１０によれば、栓３０の電線側リップ部３１が電線６０の一部の外周面に密着し、且つ栓３０のハウジング側リップ部３２が栓収容室２４の周壁２４ａの内周面に密着するので、電線６０とコネクタハウジング１１との隙間を栓３０によって良好に防水することができる。
【００４３】
ここで、上述したように、従来の防水コネクタでは、経年変化や急激な温度変化が発生して、電線側リップ部３１の電線６０への密着力及びハウジング側リップ部３２の栓収容室２４の周壁２４ａへの密着力が低下したり、端子１９が配置される防水コネクタ１０の内部が負圧となることにより、電線側リップ部３１やハウジング側リップ部３２による防水性が低下するおそれがあった。
【００４４】
これに対して、本実施形態に係る防水コネクタ１０では、栓３０の外周面における、電線６０の他端部６０ｂ側の端部に、ハウジング側リップ部３２よりも突出高さが大きな環状のハウジング側フランジ部３４が突出して設けられ、このハウジング側フランジ部３４が、栓３０を栓収容室２４に収容した際に、栓収容室２４の周壁２４ａに接触して電線６０の他端部６０ｂ側に延びるように撓み変形する。また、栓３０の内周面における、電線６０の他端部６０ｂ側の端部に、電線側リップ部３１よりも突出高さが大きな環状の電線側フランジ部３３が突出して設けられ、この電線側フランジ部３３が、栓３０を電線６０に挿着した際に、電線６０の外周面の一部に接触して電線６０の他端部６０ｂ側に延びるように撓み変形する。
【００４５】
このため、経年変化や急激な温度変化によって電線側リップ部３１の電線６０への密着力やハウジング側リップ部３２の栓収容室２４の周壁２４ａへの密着力が低下したり、端子１９が配置される防水コネクタ１０の内部が負圧となっても、ハウジング側フランジ部３４が栓収容室２４の周壁２４ａに密着した状態に維持され、且つ電線側フランジ部３３が電線６０の外周面に密着した状態に維持される。即ち、防水コネクタ１０の内部が負圧となり、防水コネクタ１０の内部側（電線６０の一端部６０ａ側）向きの力が栓３０に作用した場合であっても、ハウジング側フランジ部３４及び電線側フランジ部３３は、その先端が電線６０の他端部６０ｂ側に（つまり、電線６０の挿入方向と反対側に向けて）延びるように撓み変形して栓収容室２４の周壁又は電線６０の外周面に密着しているので、電線６０の一端部６０ａ側向きの力に対抗し易い。このように、本実施形態に係る防水コネクタ１０によれば、防水コネクタ１０の内部が負圧となった場合であっても、電線側フランジ部３３及びハウジング側フランジ部３４が弁の役割を果たすので、防水性を維持することができる。
【００４６】
特に、ハウジング側フランジ部３４は、ハウジング側リップ部３２よりも、突出高さが大きく且つ栓３０の端部に形成されており、また、電線側フランジ部３３は、電線側リップ部３１よりも突出高さが大きく且つ栓３０の端部に形成されている。このため、ハウジング側フランジ部３４及び電線側フランジ部３３は、撓み変形し易く（座屈し難く）、倒れ易い。したがって、ハウジング側フランジ部３４は、栓収容室２４の周壁２４ａへ確実に密着し、電線側フランジ部３３は、電線６０の外周面へ確実に密着する。
【００４７】
さらに、ハウジング側フランジ部３４は、ハウジング側リップ部３２よりも厚みが小さく形成されているので、容易に撓み変形して栓収容室２４の周壁２４ａへ確実に密着する。また、電線側フランジ部３３は、電線側リップ部３１よりも厚みが小さく形成されているので、容易に撓み変形して電線６０の外周面へ確実に密着する。
【００４８】
この結果、本実施形態に係る防水コネクタ１０によれば、栓３０による電線６０とコネクタハウジング１１との隙間の良好な防水状態を長期にわたって維持することができる。
【００４９】
以下では、実施形態に係る栓３０及び防水コネクタ１０について纏める。
（１）  実施形態に係る栓３０は、コネクタハウジング１１と、該コネクタハウジング１１内に形成された端子収容室１７と、該端子収容室１７に収容された端子１９と、該端子１９に電気的に接続された一端部６０ａ及びコネクタハウジング１１の外部に引き出された他端部６０ｂを有する電線６０と、電線６０の長さ方向に沿って端子収容室１７に並設され且つ電線６０の一部の外周面を囲むようにコネクタハウジング１１内に形成された円環形の栓収容室２４と、を備えた防水コネクタ１０の栓収容室２４に収容可能な栓３０である。栓３０は、弾性を有し、且つ円環状に形成されている。栓３０の内周面には、電線６０の一部の外周面と密着する環状の電線側リップ部３１が突出して設けられている。栓３０の外周面には、栓収容室２４の輪郭を画成する栓収容室２４の周壁２４ａの内周面と密着する環状のハウジング側リップ部３２が突出して設けられている。栓３０の外周面における、電線６０の他端部６０ｂ側の端部には、ハウジング側リップ部３２よりも突出高さが大きな環状のハウジング側フランジ部３４が突出して設けられており、栓３０を栓収容室２４に収容した際に、ハウジング側フランジ部３４が、栓収容室２４の周壁２４ａに接触して撓み変形する。
（２）  実施形態に係る栓３０では、ハウジング側フランジ部３４は、ハウジング側リップ部３２よりも厚みが小さく形成されている。
（３）  実施形態に係る栓３０は、コネクタハウジング１１と、該コネクタハウジング１１内に形成された端子収容室１７と、該端子収容室１７に収容された端子１９と、該端子１９に電気的に接続された一端部６０ａ及びコネクタハウジング１１の外部に引き出された他端部６０ｂを有する電線６０と、電線６０の長さ方向に沿って端子収容室１７に並設され且つ電線６０の一部の外周面を囲むようにコネクタハウジング１１内に形成された円環形の栓収容室２４と、を備えた防水コネクタ１０の栓収容室２４に収容可能な栓３０である。栓３０は、弾性を有し、且つ円環状に形成されている。栓３０の内周面には、電線６０の一部の外周面と密着する環状の電線側リップ部３１が突出して設けられている。栓３０の外周面には、栓収容室２４の輪郭を画成する栓収容室２４の周壁２４ａの内周面と密着する環状のハウジング側リップ部３２が突出して設けられている。栓３０の内周面における、電線６０の他端部６０ｂ側の端部には、電線側リップ部３１よりも突出高さが大きな環状の電線側フランジ部３３が突出して設けられており、栓３０を電線６０の一部に挿着した際に、電線側フランジ部３３が、電線６０の一部の外周面に接触して撓み変形する。
（４）  実施形態に係る栓３０では、電線側フランジ部３３は、電線側リップ部３１よりも厚みが小さく形成されている。
（５）  実施形態に係る防水コネクタ１０は、コネクタハウジング１１と、該コネクタハウジング１１内に形成された端子収容室１７と、該端子収容室１７に収容された端子１９と、該端子１９に電気的に接続された一端部６０ａ及びコネクタハウジング１１の外部に引き出された他端部６０ｂを有する電線６０と、電線６０の長さ方向に沿って端子収容室１７に並設され且つ電線６０の一部の外周面を囲むようにコネクタハウジング１１内に形成された円環形の栓収容室２４と、栓収容室２４に収容された栓３０と、を備えた防水コネクタ１０である。栓３０は、弾性を有し、且つ円環状に形成されている。栓３０の内周面には、電線６０の一部の外周面と密着する環状の電線側リップ部３１が突出して設けられている。栓３０の外周面には、栓収容室２４の輪郭を画成する栓収容室２４の周壁２４ａの内周面と密着する環状のハウジング側リップ部３２が突出して設けられている。栓３０の外周面における、電線６０の他端部６０ｂ側の端部には、ハウジング側リップ部３２よりも突出高さが大きな環状のハウジング側フランジ部３４が突出して設けられており、栓３０を栓収容室２４に収容した際に、ハウジング側フランジ部３４が、栓収容室２４の周壁２４ａに接触して撓み変形する。
（６）  実施形態に係る防水コネクタ１０は、コネクタハウジング１１と、該コネクタハウジング１１内に形成された端子収容室１７と、該端子収容室１７に収容された端子１９と、該端子１９に電気的に接続された一端部６０ａ及びコネクタハウジング１１の外部に引き出された他端部６０ｂを有する電線６０と、電線６０の長さ方向に沿って端子収容室１７に並設され且つ電線６０の一部の外周面を囲むようにコネクタハウジング１１内に形成された円環形の栓収容室２４と、栓収容室２４に収容された栓３０と、を備えた防水コネクタ１０である。栓３０は、弾性を有し、且つ円環状に形成されている。栓３０の内周面には、電線６０の一部の外周面と密着する環状の電線側リップ部３１が突出して設けられている。栓３０の外周面には、栓収容室２４の輪郭を画成する栓収容室２４の周壁２４ａの内周面と密着する環状のハウジング側リップ部３２が突出して設けられている。栓３０の内周面における、電線６０の他端部６０ｂ側の端部には、電線側リップ部３１よりも突出高さが大きな環状の電線側フランジ部３３が突出して設けられており、栓３０を電線６０の一部に挿着した際に、電線側フランジ部３３が、電線６０の一部の外周面に接触して撓み変形する。
【００５０】
なお、本発明の技術的範囲は、上述した実施形態に限定されるものではない。上述した実施形態は、本発明の技術的範囲内で種々の変形や改良等を伴うことができる。
【符号の説明】
【００５１】
１０：防水コネクタ
１１：コネクタハウジング
１７：端子収容室
１９：端子
２４：栓収容室
２４ａ：周壁
３０：栓
３１：電線側リップ部
３２：ハウジング側リップ部
３３：電線側フランジ部
３４：ハウジング側フランジ部
６０：電線
６０ａ：一端部
６０ｂ：他端部
【図１】
2015002071.tif 000003
【図２】
2015002071.tif 000004
【図３】
2015002071.tif 000005
【図４】
2015002071.tif 000006